(57)【要約】【課題】本発明の課題は、悪意のある他人によるなりすましを防止することができる機器制御装置、遠隔制御システム、中間装置及び電話帳データを提供することにある。【解決手段】コントローラ１０は、コマンド電話番号帳１２と、回線端末１４とを備える。コマンド電話番号帳１２は、複数の制御コマンド１００と複数の電話番号１０１との対応付けを記憶している。回線端末１４は、電話番号１０１からの電話を受ける。このコントローラ１０では、回線端末１４が電話を受け付けると、コマンド電話番号帳１２を参照して、回線端末１４へかけた電話の電話番号が電話番号１０１と照合することができる。【選択図】        図１
2004312155.tif 000002
【特許請求の範囲】
【請求項１】
機器（３）を制御する機器制御装置（１０）であって、
複数の制御コマンド（１００）と複数の電話番号である第１電話番号群（１０１）との対応付けを記憶している第１対応付け記憶部（１２）と、
前記第１電話番号群（１０１）の電話番号からの電話を受ける受付部（１４）と、
を備えた機器制御装置（１０）。
【請求項２】
前記受付部（１４）へかけた電話の電話番号を対応する前記制御コマンド（１００）に変換する第１コマンド変換部（１７）と、
前記制御コマンド（１００）によって前記機器（３）を制御する制御部（１５）とをさらに備えた、
請求項１に記載の機器制御装置（１０）。
【請求項３】
前記第１電話番号群（１０１）と前記複数の制御コマンド（１００）との前記第１対応付け記憶部（１２）における対応付けを変更する第１対応付け変更部（１９）をさらに備えた、
請求項１又は２に記載の機器制御装置（１０）。
【請求項４】
遠隔にある機器（３）を遠隔制御する遠隔制御システム（１）であって、
請求項１から３のいずれかに記載の機器制御装置（１０）と、
中間装置（２０）とを備え、
前記中間装置（２０）は、
前記第１電話番号群（１０１）の電話回線である第１電話回線群（３２ａ，３２ｂ，・・・）を保持している第１回線保持部（２６）と、
前記機器（３）の利用者からの要求を受け付けて、前記第１電話回線群（３２ａ，３２ｂ，・・・）のいずれか１つの電話回線と機器制御装置（１０）が保持している電話回線である第２電話回線（３１）とを経由して前記受付部（１４）へ電話する中間電話部（２５）とを有している、
遠隔制御システム（１）。
【請求項５】
前記中間装置（２０）は、
前記第１電話回線群及び前記第２電話回線とは異なる電話回線であり複数の前記機器（３）の複数の前記利用者が前記中間電話部（２５）に電話する際に経由する第３電話回線（３３，３４）の電話番号である第２電話番号群を記憶している利用者記憶部（２２）をさらに有している、
請求項４に記載の遠隔制御システム（１）。
【請求項６】
前記中間装置（２０）の前記中間電話部（２５）は、前記第３電話回線（３３，３４）と前記第１電話回線群（３２ａ，３２ｂ，・・・）のいずれか１つの電話回線とを経由してかかってきた電話を、前記第１電話回線群（３２ａ，３２ｂ，・・・）のうちかかってきた電話と同じ電話回線と前記第２電話回線（３１）とを経由して前記機器制御装置（１０）の前記受付部（１４）へ転送する、
請求項４又は５に記載の遠隔制御システム（１）。
【請求項７】
前記中間装置（２０）は、
前記第１電話番号群（１０１）と前記複数の制御コマンド（１００）との対応付けを記憶している第２対応付け記憶部（２４）と、
前記中間電話部（２５）の受けた電話の電話番号を前記制御コマンド（１００）に変換する第２コマンド変換部（２９）とをさらに有している、
請求項４又は５に記載の遠隔制御システム（１）。
【請求項８】
前記中間装置（２０）は、
前記第１電話番号群（１０１）と前記複数の制御コマンド（１００）との対応付けを記憶している第２対応付け記憶部（２４）と、
前記第３電話回線と、前記第１電話回線群（３２ａ，３２ｂ，・・・）及び前記第２電話回線（３１）及び前記第３電話回線のいずれとも別の電話回線であり前記中間装置（２０）が保持している第４電話回線（３５）とを経由して、前記制御コマンド（１００）に対応する電話番号（１０１）の問い合わせを前記機器（３）の前記利用者から受ける問い合わせ部（６１）と、
前記制御コマンド（１００）を対応する電話番号（１０１）に変換する第１番号変換部（２８）とをさらに有している、
請求項４又は５に記載の遠隔制御システム（１）。
【請求項９】
前記中間装置（２０）は、
前記第１電話番号群（１０１）と前記複数の制御コマンド（１００）との前記第２対応付け記憶部（２４）における対応付けを変更する第２対応付け変更部（６０）をさらに有している、
請求項７又は８に記載の遠隔制御システム（１）。
【請求項１０】
情報端末装置（４０，５０）をさらに備えており、
前記情報端末装置（４０，５０）は、
前記機器の利用者の要求を受けて、前記第３電話回線と前記第１電話回線群（３２ａ，３２ｂ，・・・）のいずれか１つの電話回線とを経由して、前記中間電話部（２５）へ電話する利用者電話部（４１，５１）と、
前記第１電話番号群（１０１）と前記複数の制御コマンド（１００）との対応付けを記憶している第３対応付け記憶部（４５，５５）と、
前記制御コマンド（１００）を対応する電話番号（１０１）へ変換する第２番号変換部（４３，５３）とを有している、
請求項４から９のいずれかに記載の遠隔制御システム（１）。
【請求項１１】
複数の制御コマンド（１００）と複数の電話番号である第１電話番号群（１０１）との対応付けを記憶している第１対応付け記憶部（１２）と、前記第１電話番号群（１０１）の電話番号からの電話を受ける受付部（１４）と、前記受付部（１４）へかけた電話の電話番号を対応する前記制御コマンド（１００）に変換する第１コマンド変換部（１７）と、前記制御コマンド（１００）によって機器（３）を制御する制御部（１５）とを備えた機器制御装置（１０）の前記受付部（１４）へ電話をかけて前記機器（３）を遠隔制御するための中間装置（２０）であって、
前記第１電話番号群（１０１）の電話回線である第１電話回線群（３２ａ，３２ｂ，・・・）を保持している第１回線保持部（２６）と、
前記機器（３）の利用者からの要求を受け付けて、前記第１電話回線群（３２ａ，３２ｂ，・・・）のいずれか１つの電話回線と前記機器制御装置（１０）が保持している電話回線である第２電話回線（３１）とを経由して前記受付部（１４）へ電話する中間電話部（２５）と、
を備えた中間装置（２０）。
【請求項１２】
複数の制御コマンド（１００）と複数の電話番号である第１電話番号群（１０１）との対応付けを記憶している第１対応付け記憶部（１２）と、前記第１電話番号群（１０１）の電話番号からの電話を受ける受付部（１４）と、前記受付部（１４）へかけた電話の電話番号を対応する前記制御コマンド（１００）に変換する第１コマンド変換部（１７）と、前記制御コマンド（１００）によって機器（３）を制御する制御部（１５）とを備えた機器制御装置（１０）の前記受付部（１４）へ電話をかけて前記機器（３）を遠隔制御するために前記第１対応付け記憶部（１２）に記憶されている電話帳データであって、
前記制御コマンド（１００）を記録する第１領域と、
前記第１領域に関連づけて、前記第１電話番号群（１０１）のうち対応する電話番号を記録する第２領域と、
を備えた電話帳データ。
【発明の詳細な説明】
【０００１】
【発明の属する技術分野】
本発明は、機器制御装置、遠隔制御システム、中間装置及び電話帳データに関する。特に、遠隔にある機器を遠隔制御するための機器制御装置、遠隔制御システム、中間装置及び電話帳データに関する。
【０００２】
【従来の技術】
従来、屋内から遠隔にある機器を遠隔操作するシステムとして、無線通信機能を持つ端末を利用するシステムが提案されていた（例えば、特許文献１参照。）。このシステムは、複数の機器を屋内の任意の位置から統一的に操作することができるシステムである。ここで機器とは、テレビジョン（ＴＶ）受像機・ＶＣＲ（Ｖｉｄｅｏ  Ｃａｓｓｅｔｔｅ  Ｒｅｃｏｒｄｅｒ）・エアコンディショナ・冷蔵庫・洗濯機・湯沸かし器・インターホン・ＣＤプレーヤ・アンプである。
【０００３】
一方近年、携帯電話機の普及などにより、屋内だけでなく屋外からも遠隔にある機器を遠隔操作するシステムが要望されている。それに対して、携帯電話機と家庭内情報システムとの連携を図るシステムが提案されていた（例えば、特許文献２参照。）。このシステムは、遠隔にある様々な種類の機器を統一的な操作で携帯電話機から操作／制御することができるシステムである。ここで機器とは、冷蔵庫・電子レンジ・ステレオ・ビデオ・テレビなどの家電機器、ガス漏れ検出器・窓センサーなどのホームセキュリティ機器、パーソナルコンピュータ等である。
【０００４】
【特許文献１】
特開平１１−１６８４７１号公報（第１−１３項）
【０００５】
【特許文献２】
特開２００１−３４６２７０号公報（第１１項、第１９項、図８）
【０００６】
【発明が解決しようとする課題】
しかし、従来のシステムでは、ユーザＩＤとパスワードとによるユーザ認証を行っていたために、ユーザＩＤとパスワードとを盗まれた場合に、悪意のある他人によるなりすましが可能であるという問題があった。特に、コンピュータ技術を利用したパスワード偽造などのハッキング行為に対して、完全なセキュリティ対策を施すことが困難であった。
【０００７】
そこで、本発明の課題は、悪意のある他人によるなりすましを防止することができる機器制御装置、遠隔制御システム、中間装置及び電話帳データを提供することにある。
【０００８】
【課題を解決するための手段】
請求項１に係る機器制御装置は、機器を制御する機器制御装置であって、第１対応付け記憶部と、受付部とを備える。第１対応付け記憶部は、複数の制御コマンドと複数の電話番号である第１電話番号群との対応付けを記憶している。受付部は、第１電話番号群の電話番号からの電話を受ける。
【０００９】
この機器制御装置では、受付部が電話を受け付けると、第１対応付け記憶部を参照して、受付部へかけた電話の電話番号が第１電話番号群と照合することができる。
このため、悪意のある他人によるなりすましを防止することができる。例えば、第１電話番号群の電話回線を機器の利用者又は中間の業者が所有していれば、受付部へかけた電話の電話番号と第１電話番号群とが照合されることにより、悪意のある他人によるなりすましを防止することができる。
【００１０】
なお、機器制御装置は、機器とは別に構成されていてもよく、機器に組み込まれていてもよい。ここで機器とは、例えば、エアコン・床暖房システム・空気清浄機・加湿器・脱臭機・遠赤外線暖房機・給湯器・除湿器・冷蔵庫・冷凍庫・湯沸かし器・テレビ・ビデオ・洗濯機・電子レンジ・インターホン・ＣＤプレーヤ・アンプ・外灯・照明機器などの家電機器、火災報知器・ガス漏れ検知器・扉センサー・窓センサーなどのホームセキュリティ機器、スクリュー式冷凍機・ターボ冷凍機・吸収式冷凍機・極低温冷凍機などの冷凍機、パーソナルコンピュータなどを含む。中間の業者とは、例えば、機器の利用者に代わって機器制御装置へ電話するサービスを行う業者を含む。
【００１１】
請求項２に係る機器制御装置は、請求項１に記載の機器制御装置であって、第１コマンド変換部と、制御部とをさらに備える。第１コマンド変換部は、受付部へかけた電話の電話番号を対応する制御コマンドに変換する。制御部は、制御コマンドによって機器を制御する。
この機器制御装置では、受付部へかけた電話の電話番号が第１電話番号群と一致すれば第１コマンド変換部によりその電話番号が対応する制御コマンドに変換される。その制御コマンドは、第１コマンド変換部により制御部に渡される。制御部は、制御コマンドを実行し、機器を制御する。
【００１２】
請求項３に係る機器制御装置は、請求項１又は２に記載の機器制御装置であって、第１対応付け変更部をさらに備える。第１対応付け変更部は、第１電話番号群と複数の制御コマンドとの第１対応付け記憶部における対応付けを変更する。この機器制御装置では、第１対応付け変更部は、第１対応付け記憶部を参照し、第１電話番号群と複数の制御コマンドとの第１対応付け記憶部における対応付けを変更する。
【００１３】
このため、第１電話番号群と複数の制御コマンドとの対応付けの変更内容を機器の利用者が第１対応付け変更部に入力することができれば、第１電話番号群と対応する複数の制御コマンドとの対応付けをユーザ側でカスタマイズすることができる。
請求項４に係る遠隔制御システムは、遠隔にある機器を遠隔制御する遠隔制御システムであって、請求項１から３のいずれかに記載の機器制御装置と、中間装置とを備える。中間装置は、第１回線保持部と、中間電話部とを有している。第１回線保持部は、第１電話回線群を保持している。第１電話回線群は、第１電話番号群の電話回線である。中間電話部は、機器の利用者からの要求を受け付けて、第１電話回線群のいずれか１つの電話回線と第２電話回線とを経由して受付部へ電話する。第２電話回線は、機器制御装置が保持している電話回線である。
【００１４】
この遠隔制御システムでは、中間装置の第１回線保持部が第１電話回線群を保持している。中間装置の中間電話部は、機器制御装置の受付部へ電話してほしいとの要求を機器の利用者から受け付ける。中間装置の中間電話部は、第１電話回線群のいずれか１つの電話回線と第２電話回線とを経由して、機器制御装置の受付部へ電話する。
【００１５】
このため、第１電話回線群を他人が保持することができず、悪意による他人のなりすましを防止することができる。また、中間装置の管理者側が機器制御装置の受付部へ電話する際の回線使用料を負担することになり、機器の利用者側での回線使用料の負担が軽減される。
なお、中間装置の中間電話部が機器の利用者から要求を受け付ける方法は、機器の利用者が中間電話部に電話して一定回数リングして切る方法でもよいし、機器の利用者が中間電話部に電話・ＦＡＸ・電子メールなどにより依頼する方法でも良いし、機器の利用者が中間装置の管理者に直接口頭で依頼する方法でも良いものとする。
【００１６】
請求項５に係る遠隔制御システムは、請求項４に記載の遠隔制御システムであって、中間装置は、利用者記憶部をさらに有している。利用者記憶部は、第２電話番号群を記憶している。第２電話番号群は、第３電話回線の電話番号である。第３電話回線は、第１電話回線群及び第２電話回線とは異なる電話回線であり複数の機器の複数の利用者が中間電話部に電話する際に経由する。
【００１７】
この遠隔制御システムでは、複数の機器の複数の利用者が第１電話番号群のいずれかの電話番号に電話する。中間装置の中間電話部が、第３電話回線と第１電話回線群のうち機器の利用者が指定した電話番号に対応する電話回線とを経由して電話を受ける。その際に中間装置の利用者記憶部に記憶された第２電話番号群を参照して、第３電話回線の電話番号と第２電話番号群とを照合することができる。
【００１８】
このため、悪意のある他人によるなりすましを防止することができる。
請求項６に係る遠隔制御システムは、請求項４又は５に記載の遠隔制御システムであって、中間装置の中間電話部は、第３電話回線と第１電話回線群のいずれか１つの電話回線とを経由してかかってきた電話を、第１電話回線群のうちかかってきた電話と同じ電話回線と第２電話回線とを経由して機器制御装置の受付部へ転送する。
【００１９】
この遠隔制御システムでは、機器の利用者が、第３電話回線と第１電話回線群のいずれか１つの電話回線とを経由して中間装置の中間電話部へ電話をかける。中間装置の中間電話部は、第１電話回線群のうち中間電話部へかけた電話と同じ電話回線と第２電話回線とを経由して機器制御装置の受付部へ電話を転送する。請求項７に係る遠隔制御システムは、請求項４又は５に記載の遠隔制御システムであって、中間装置は、第２対応付け記憶部と、第２コマンド変換部とをさらに有している。第２対応付け記憶部は、第１電話番号群と複数の制御コマンドとの対応付けを記憶している。第２コマンド変換部は、中間電話部の受けた電話の電話番号を制御コマンドに変換する。
【００２０】
この遠隔制御システムでは、第１電話番号群と複数の制御コマンドとの関係が第２対応付け記憶部に記憶されている。第２コマンド変換部は、第２対応付け記憶部を参照し、中間電話部の受けた電話の電話番号を制御コマンドに変換する。
したがって、制御コマンドが中間装置の管理者に通知されれば、中間装置の管理者が制御コマンドの内容を把握することができるため、中間装置の管理者が機器の稼働状況を把握することができる。
【００２１】
請求項８に係る遠隔制御システムは、請求項４又は５に記載の遠隔制御システムであって、中間装置は、第２対応付け記憶部と、問い合わせ部と、第１番号変換部とをさらに有している。第２対応付け記憶部は、第１電話番号群と複数の制御コマンドとの対応付けを記憶している。問い合わせ部は、第３電話回線と第４電話回線とを経由して、制御コマンドに対応する電話番号の問い合わせを機器の利用者から受ける。第４電話回線は、第１電話回線群及び第２電話回線及び第３電話回線のいずれとも別の電話回線であり中間装置が保持している。第１番号変換部は、制御コマンドを対応する電話番号に変換する。
【００２２】
この遠隔制御システムでは、機器の利用者が制御コマンドを中間装置の問い合わせ部へ伝える。中間装置の問い合わせ部は中間装置の第１番号変換部へ制御コマンドを渡す。中間装置の第１番号変換部は、第２対応付け記憶部を参照し、制御コマンドを第１電話番号群のうちの対応する電話番号に変換する。
このため、機器の利用者が第１電話番号群を記憶していなくても、遠隔にある機器が遠隔制御される。
【００２３】
なお、制御コマンドは、コマンド名の代わりにコマンド番号あるいは整理番号のようなものであってもよい。
請求項９に係る遠隔制御システムは、請求項７又は８に記載の遠隔制御システムであって、中間装置は、第２対応付け変更部をさらに有している。第２対応付け変更部は、第１電話番号群と複数の制御コマンドとの第２対応付け記憶部における対応付けを変更する。
【００２４】
この遠隔制御システムでは、機器の利用者又は中間装置の管理者が第１電話番号群と複数の制御コマンドとの対応付けの変更を中間装置に要求する。その要求が中間装置の第２対応付け変更部に伝えられる。中間装置の第２対応付け変更部は、第２対応付け記憶部にアクセスし、第１電話番号群と制御コマンドとの対応付けを変更する。
【００２５】
このため、機器の利用者又は中間装置の管理者が変更内容を第２対応付け変更部に入力することができれば、複数の制御コマンドと第１電話番号群との対応付けを機器の利用者又は中間装置の管理者においてカスタマイズすることができる。
なお、機器の利用者がカスタマイズする場合は、機器の利用者がＷＥＢにより第２対応付け記憶部の情報を編集してもよいし、機器の利用者が中間装置の管理者に電話・ＦＡＸ・電子メールなどにより第２対応付け記憶部の情報の編集を依頼する方法でもよいものとする。
【００２６】
請求項１０に係る遠隔制御システムは、請求項４から９のいずれかに記載の遠隔制御システムであって、情報端末装置をさらに備えている。情報端末装置は、利用者電話部と、第３対応付け記憶部と、第２番号変換部とを有している。利用者電話部は、機器の利用者の要求を受けて、第３電話回線と第１電話回線群のいずれか１つの電話回線とを経由して、中間電話部へ電話する。第３対応付け記憶部は、第１電話番号群と複数の制御コマンドとの対応付けを記憶している。第２番号変換部は、制御コマンドを対応する電話番号へ変換する。
【００２７】
この遠隔制御システムでは、第２番号変換部は、第３対応付け記憶部を参照し、制御コマンドを第１電話番号群のうちの対応する電話番号に変換し、その電話番号を利用者電話部に渡す。利用者電話部は、第３電話回線と第１電話回線群のうち渡された電話番号に対応する電話回線とを経由して、中間装置の中間電話部へ電話する。
【００２８】
このため、ユーザが第１電話番号群を記憶していなくても、遠隔にある機器が遠隔制御される。
なお、制御コマンドは、コマンド名の代わりにコマンド番号あるいは整理番号のようなものであってもよい。
請求項１１に係る中間装置は、機器制御装置の受付部へ電話をかけて機器を遠隔制御するための中間装置であって、第１回線保持部と、中間電話部とを備える。機器制御装置は、第１対応付け記憶部と、受付部と、第１コマンド変換部と、制御部とを備える。第１対応付け記憶部は、複数の制御コマンドと第１電話番号群との対応付けを記憶している。第１電話番号群は、複数の電話番号である。受付部は、第１電話番号群の電話番号からの電話を受ける。第１コマンド変換部は、受付部へかけた電話の電話番号を対応する制御コマンドに変換する。制御部は、制御コマンドによって機器を制御する。第１回線保持部は、第１電話回線群を保持している。第１電話回線群は、第１電話番号群の電話回線である。中間電話部は、機器の利用者からの要求を受け付けて、第１電話回線群のいずれか１つの電話回線と第２電話回線とを経由して前記受付部へ電話する。第２電話回線は、機器制御装置が保持している電話回線である。
【００２９】
この中間装置では、中間装置の第１回線保持部が第１電話回線を保持している。中間装置の中間電話部は、機器制御装置の受付部へ電話してほしいとの要求を機器の利用者から受け付ける。中間装置の中間電話部は、第１電話回線群のいずれか１つの電話回線と第２電話回線とを経由して、機器制御装置の受付部へ電話する。
【００３０】
このため、第１電話回線群を他人が保持することができず、悪意による他人のなりすましを防止することができる。また、中間装置の管理者側が機器制御装置の受付部へ電話する際の回線使用料を負担することになり、機器の利用者側での回線使用料の負担が軽減される。
なお、中間装置の中間電話部が機器の利用者から要求を受け付ける方法は、機器の利用者が中間電話部に電話して一定回数リングして切る方法でもよいし、機器の利用者が中間電話部に電話・ＦＡＸ・電子メールなどにより依頼する方法でも良いし、機器の利用者が中間装置の管理者に直接口頭で依頼する方法でも良いものとする。
【００３１】
請求項１２に係る電話帳データは、機器制御装置の受付部へ電話をかけて機器を遠隔制御するために第１対応付け記憶部に記憶されている電話帳データであって、第１領域と、第２領域とを備える。機器制御装置は、第１対応付け記憶部と、受付部と、第１コマンド変換部と、制御部とを備える。第１対応付け記憶部は、複数の制御コマンドと第１電話番号群との対応付けを記憶している。第１電話番号群は、複数の電話番号である。受付部は、第１電話番号群の電話番号からの電話を受ける。第１コマンド変換部は、受付部へかけた電話の電話番号を対応する制御コマンドに変換する。制御部は、制御コマンドによって機器を制御する。第１領域は、制御コマンドを記録する。第２領域は、第１領域に関連づけて、第１電話番号群のうち対応する電話番号を記録する。
【００３２】
この電話帳データでは、電話帳データの内容が第１対応付け記憶部に記憶されている。機器制御装置の受付部が電話を受け付けると、電話帳データの第２領域が参照される。受付部へかけた電話の電話番号が電話帳データの第２領域の電話番号と照合される。受付部へかけた電話の電話番号が電話帳データの第２領域の電話番号と一致すれば第１コマンド変換部によりその電話番号が電話帳データにおいて対応する第１領域の制御コマンドに変換される。制御部は、その制御コマンドを実行し、機器を制御する。
【００３３】
したがって、悪意のある他人によるなりすましを防止することができる。また、遠隔にある機器が遠隔制御される。
【００３４】
【発明の実施の形態】
［第１実施形態］
本発明の第１実施形態に係る遠隔制御システム１の構成図を図１に示す。また、本発明の第１実施形態に係る遠隔制御システム１の各構成要素の構成図を図２〜図４に示す。ここに示す遠隔制御システム１は、主として宅外から遠隔にあるエアコン３を遠隔制御するためのシステムである。
【００３５】
＜遠隔制御システム１の全体構成＞
この遠隔制御システム１は、主としてエアコン３とコントローラ１０と中間装置２０と電話回線群３２（３２ａ，３２ｂ，・・・）と電話回線３１，３４と電話交換網３７と携帯電話機５０とから構成されている。
＜コントローラ１０の構成＞
図２に示すように、コントローラ１０は、主としてマイコン１３とハードディスク１１とから構成されている。マイコン１３は、主としてＩＤ記憶部１６と回線端末１４とコマンド変換部１７と番号照合部７０と制御部１５とから構成されている。ハードディスク１１は、主としてコマンド電話番号帳１２から構成されている。コマンド変換部１７と番号照合部７０とは、ハードディスク１１に接続されており、ハードディスク１１のコマンド電話番号帳１２を参照する。
【００３６】
これにより、回線端末１４は、電話回線３１を経由して回線端末１４へかけるのに用いた電話の発信者電話番号通知を受け取り、発信者電話番号の情報を番号照合部７０に渡す。番号照合部７０は、コマンド電話番号帳１２を参照して、後述する制御コマンド１００に対応した後述する電話番号１０１と発信者電話番号とを比較し、後述する制御コマンド１００に対応した後述する電話番号１０１と発信者電話番号とが一致すれば発信者電話番号の情報をコマンド変換部１７に渡す。コマンド変換部１７は、コマンド電話番号帳１２を参照し、上記の発信者電話番号を後述する制御コマンド１００に変換して、後述する制御コマンド１００を制御部１５に渡す。制御部１５は、後述する制御コマンド１００に基づいた制御を実行する。
【００３７】
＜中間装置２０の構成＞
図３に示すように、中間装置２０は、主としてサーバ２３とデータベース２１とから構成されている。サーバ２３は、主としてＩＤ記憶部２６と第１回線端末２５とユーザ照合部２７とから構成されている。データベース２１は、主としてユーザ電話番号帳２２から構成されている。ユーザ照合部２７は、データベース２１に接続されており、データベース２１のユーザ電話番号帳２２を参照する。
【００３８】
これにより、第１回線端末２５は、電話回線群３２（３２ａ，３２ｂ，・・・）のいずれかの電話回線により第１回線端末２５へかけるのに用いた電話の発信者電話番号通知を受け取り、発信者電話番号の情報をユーザ照合部２７へ渡す。ユーザ照合部２７は、ユーザ電話番号帳２２を参照して、登録されたユーザの電話番号と発信者電話番号とを比較して、登録されたユーザの電話番号と発信者電話番号とが一致すればその旨を第１回線端末２５へ返答する。第１回線端末２５は、その返答を受け取ると、ＩＤ記憶部２６に記憶された電話回線群３２のＩＤを参照する。第１回線端末２５は、電話回線群３２のうち第１回線端末２５へかけるのに用いた電話と同じ電話回線と電話回線３１とを経由して回線端末１４（図２に示す）へ電話するとともに、電話回線群３２のうち第１回線端末２５へかけるのに用いた電話と同じ電話回線のＩＤを発信する。
【００３９】
＜携帯電話機５０の構成＞
図４に示すように、携帯電話機５０は、主としてＩＤ記憶部５２と回線端末５１とから構成されている。ＩＤ記憶部５２には、携帯電話機５０が保持している電話回線３４のＩＤが記憶されている。
回線端末５１に相手の電話番号が入力されると、回線端末５１は、ＩＤ記憶部５２に記憶された電話回線３４のＩＤを参照して、電話回線３４と電話回線群３２のいずれか１つの電話回線とを経由して第１回線端末２５（図３に示す）へ電話するとともに電話回線３４のＩＤを発信する。
【００４０】
＜電話回線３１の構成＞
図１及び図２に示すように、電話回線３１は回線端末１４に接続されている。
後述する電話交換網３７と回線端末１４とを接続する電話回線３１の電話番号は、コントローラ１０のマイコン１３が保持している。電話回線３１のＩＤは、コントローラ１０のマイコン１３におけるＩＤ記憶部１６に記憶されている。電話回線３１のＩＤは、電話回線３１の電話番号を後述する電話交換網３７の交換局で識別するための識別記号である。
【００４１】
＜電話回線群３２の構成＞
図１及び図３に示すように、電話回線群３２は第１回線端末２５に接続されている。
後述する電話交換網３７と第１回線端末２５とを接続する電話回線群３２の電話番号は、中間装置２０のサーバ２３が保持している。電話回線群３２のＩＤは、中間装置２０のサーバ２３におけるＩＤ記憶部２６に記憶されている。電話回線３２のＩＤは、電話回線３２の電話番号を後述する電話交換網３７の交換局で識別するための識別記号である。
【００４２】
電話回線群３２の数は、後述する制御コマンド１００の種類に対応しており、後述する制御コマンド１００の種類の分だけ回線が存在する。
＜電話回線３４の構成＞
図１及び図４に示すように、電話回線３４は回線端末５１に接続されている。
電話回線３４の電話番号は、携帯電話機５０が保持している。電話回線３４のＩＤは、携帯電話機５０におけるＩＤ記憶部５２に記憶されている。電話回線３４のＩＤは、電話回線３４の電話番号を後述する電話交換網３７の交換局で識別するための識別記号である。
【００４３】
＜電話交換網３７の構成＞
図１に示すように、電話交換網３７は通常の電話交換網である。
＜コマンド電話番号帳１２の構成＞
図２に示すコントローラ１０のハードディスク１１に記憶されているコマンド電話番号帳１２は、図６に示すように、制御コマンド１００とそれに対応した電話番号１０１とから構成される。制御コマンド１００は、エアコン３を制御するためのコマンドである。電話番号１０１は、電話回線群３２の電話番号である。
【００４４】
＜遠隔制御システム１がエアコン３を遠隔制御する処理の流れ＞
図１の遠隔制御システム１が遠隔制御する処理の流れを、図７及び図８に示すフローチャートを用いて説明する。
ステップＳ１では、ユーザにより制御コマンド１００に対応する電話番号１０１へ電話がかけられ、一定回数リングして電話が切られる。一定回数は１〜３回とする。ステップＳ２では、第１回線端末２５により発信者電話番号通知があるか否かが判別される。発信者電話番号通知がないと判断されれば処理を終了し（図７，８で示す▲２▼）、発信者電話番号通知があると判断されればステップＳ３へと進む。ステップＳ３では、第１回線端末２５によりユーザの発信者電話番号通知が受け取られ、ユーザの発信者電話番号の情報がユーザ照合部２７へ渡される。ステップＳ４では、ユーザ照合部２７によりユーザ電話番号帳２２がアクセスされ、登録されたユーザの電話番号が参照される。ステップＳ５では、ユーザ照合部２７により登録されたユーザの電話番号とユーザの発信者電話番号とが比較される。両者が一致しなければ処理を終了し（図７，８で示す▲２▼）、両者が一致すればステップＳ６へと進む。ステップＳ６では、第１回線端末２５により回線端末１４へ電話がかけられ、一定回数リングして電話が切られる。ステップＳ７では、回線端末１４により発信者電話番号通知があるかが判別される。発信者電話番号通知がないと判断されれば処理を終了し（図７，８で示す▲２▼）、発信者電話番号通知があると判断されればステップＳ８（図７，８で示す▲１▼）へと進む。ステップＳ８では、回線端末１４により第１回線端末２５の発信者電話番号通知が受け取られ、発信者電話番号の情報が番号照合部７０へ渡される。ステップＳ９では、番号照合部７０によりコマンド電話番号帳１２がアクセスされ、図６に示すように制御コマンド１００に対応する電話番号１０１が参照される。ステップＳ１０では、番号照合部７０により制御コマンド１００に対応する電話番号１０１と第１回線端末２５の発信者電話番号とが比較される。両者が一致しなければ処理を終了し、両者が一致すればステップＳ１１へと進む。ステップＳ１１では、第１回線端末２５の発信者電話番号が制御コマンド１００へ変換される。ステップＳ１２では、制御部１５により制御コマンド１００に基づいた制御が実行される。
【００４５】
＜遠隔制御システム１に関する特徴＞
（１）
ここでは、制御コマンド１００に対応した電話番号１０１を図３に示す中間装置２０のサーバ２３が保持しており、制御コマンド１００に対応した電話番号１０１のＩＤは、図３に示す中間装置２０のサーバ２３におけるＩＤ記憶部２６に記憶されている。また、図２に示すように、回線端末１４へかけた電話の発信者電話番号が番号照合部７０で制御コマンド１００に対応した電話番号１０１と照合される。このため、制御コマンド１００に対応した電話番号１０１のＩＤを他人が保持することができず、悪意による他人のなりすましが防止される。また、中間装置２０の管理者側がコントローラ１０の回線端末１４へ電話する際の回線使用料を負担することになり、エアコン３の利用者側での回線使用料の負担が軽減される。
【００４６】
（２）
ここでは、図３に示す中間装置２０のデータベース２１においてユーザ電話番号帳２２が記憶されている。ユーザ照合部２７は、登録されたユーザの電話番号を参照して、第１回線端末２５へかけた電話の発信者電話番号と登録されたユーザの電話番号とを照合する。したがって、悪意のある他人によるなりすましが防止される。
【００４７】
（３）
ここでは、制御コマンド１００に対応した電話番号１０１が図２に示すコマンド変換部１７により制御コマンド１００に変換され、コマンド変換部１７により制御コマンド１００が制御部１５に渡され、その制御コマンド１００に基づいた制御が制御部１５により実行される。したがって、遠隔にあるエアコン３が遠隔制御される。
【００４８】
（４）
ここでは、ユーザが図１や図４に示す携帯電話機５０を使って、制御コマンド１００に対応した電話番号１０１へ電話する。したがって、ユーザの利便性が向上される。
（５）
ここでは、図７のステップＳ１やステップＳ６に示すように、ユーザにより制御コマンド１００に対応する電話番号１０１へ電話がかけられ、一定回数リングして電話が切られる。そして、図７のステップＳ３や図８のステップＳ８に示すように、第１回線端末２５や回線端末１４によりユーザの発信者電話番号通知が受け取られる。したがって、通話料が発生せず、通信コストが発生しない。
【００４９】
（６）
ここでは、図２に示すようにコマンド電話番号帳１２はハードディスク１１に記憶されている。コントローラ１０の回線端末１４が電話を受け付けると、図６に示すコマンド電話番号帳１２の電話番号の欄の電話番号１０１が参照される。図２に示す回線端末１４へかけた電話の電話番号が番号照合部７０で電話番号１０１と照合される。回線端末１４へかけた電話の電話番号が電話番号１０１と一致すれば、コマンド変換部１７によりその電話番号が図６に示すコマンド電話番号帳１２において電話番号１０１に対応した制御コマンドの欄の制御コマンド１００に変換される。図２に示すコマンド変換部１７は、その制御コマンド１００を制御部１５に渡す。制御部１５は、その制御コマンド１００を実行し、エアコン３を制御する。
【００５０】
したがって、悪意のある他人によるなりすましが防止される。また、遠隔にあるエアコン３が遠隔制御される。
＜第１実施形態の変形例＞
（Ａ）エアコン３は、エアコンの代わりに、床暖房システム・空気清浄機・加湿器・脱臭機・遠赤外線暖房機・給湯器・除湿器・冷蔵庫・冷凍庫・湯沸かし器・テレビ・ビデオ・洗濯機・電子レンジ・インターホン・ＣＤプレーヤ・アンプ・外灯・照明機器などの家電機器、火災報知器・ガス漏れ検知器・扉センサー・窓センサーなどのホームセキュリティ機器、スクリュー式冷凍機・ターボ冷凍機・吸収式冷凍機・極低温冷凍機などの冷凍機、パーソナルコンピュータなどであってもよい。
【００５１】
なお、図６ではエアコン３のコマンド電話番号帳１２のみを示しているが、他の機器の場合も同様にその機器に適した制御コマンドが制御コマンド１００の欄に記録されている。
（Ｂ）図１に示すように、携帯電話機５０は、ユーザの職場で使用している電話など特定の固定電話機４０であってもよい。その場合の構成は、図５に示すように図４の携帯電話機５０と同様な構成になる。図１に示す電話回線３１，３３，３４や電話回線群３２は、有線の電話回線であっても、無線の電話回線であってもよい。図２から図５に示すＩＤ記憶部１６・ＩＤ記憶部２６・ＩＤ記憶部５２・ＩＤ記憶部４２は、それぞれハードディスク１１・データベース２１・ハードディスク５４・ハードディスク４４の中にあってもよい。ＩＤ記憶部１６・ＩＤ記憶部２６・ＩＤ記憶部５２・ＩＤ記憶部４２には、電話回線のＩＤの代わりに、電話回線のＩＤ及び暗証番号あるいは電話番号そのものが記録されていてもよい。図１に示すコントローラ１０はエアコン３に組み込まれていてもよい。図１に示す遠隔制御システム１は、宅内からエアコン３を制御してもよい。
（Ｃ）図４に示すように、携帯電話機５０は、ハードディスク５４と番号変換部５３とをさらに備えていてもよい。ハードディスク５４は、主としてコマンド電話番号帳５５から構成されている。番号変換部５３は、ハードディスク５４に接続されており、ハードディスク５４のコマンド電話番号帳５５を参照する。図５に示すように固定電話機４０は、ハードディスク４４と番号変換部４３とをさらに備えていてもよい。ハードディスク４４は、主としてコマンド電話番号帳４５から構成されている。番号変換部４３は、ハードディスク４４に接続されており、ハードディスク４４のコマンド電話番号帳４５を参照する。コマンド電話番号帳５５・コマンド電話番号帳４５はコマンド電話番号帳１２と内容が一致している。ここでは、図４に示すようにユーザが制御コマンド１００のコマンド名を回線端末５１に入力すると、回線端末５１が制御コマンド１００のコマンド名を番号変換部５３に渡し、番号変換部５３がコマンド電話番号帳５５を参照して制御コマンド１００のコマンド名を電話番号１０１に変換する。図５に示すように、ユーザが制御コマンド１００のコマンド名を回線端末４１に入力すると、回線端末４１が制御コマンド１００のコマンド名を番号変換部４３に渡し、番号変換部４３がコマンド電話番号帳４５を参照して制御コマンド１００のコマンド名を電話番号１０１に変換する。したがって、ユーザが制御コマンド１００に対応する電話番号１０１を記憶していなくても、遠隔にあるエアコン３が遠隔制御される。
【００５２】
なお、制御コマンド１００に対応した電話番号１０１は、携帯電話機５０や固定電話機４０において、短縮ダイヤルとして登録されていてもよい。この場合は、制御コマンド１００のコマンド名の代わりに制御コマンド１００の短縮ダイヤルの番号が回線端末５１や回線端末４１に入力される。
（Ｄ）図３に示すように、中間装置２０のサーバ２３は第２回線端末６２と番号変換部２８とをさらに備えるとともに、中間装置２０のデータベース２１はコマンド電話番号帳２４をさらに備えていてもよい。番号変換部２８は、データベース２１に接続されており、データベース２１のコマンド電話番号帳２４を参照する。コマンド電話番号帳２４はコマンド電話番号帳１２と内容が一致している。この場合、図７に示すエアコン３を遠隔制御する処理の流れにおいて、ステップＳ１に代えて、第２回線端末６２へいったん電話をつないで音声案内に従って制御コマンド１００に対応するコマンド名又は番号をユーザが入力するものとしてもよい。あるいは、ステップＳ１に代えて、ユーザが、中間装置２０のサーバ２３の管理者に対して、電話・ＦＡＸ・電子メールなどによりコマンド名又は番号を伝えてもよい。あるいは、ステップＳ１に代えて、ユーザが中間装置２０のサーバ２３の管理者を訪問して、ユーザがその管理者に直接口頭でコマンド名又は番号を伝えてもよい。図３に示す番号変換部２８により、ユーザが入力した番号又はコマンド名は対応する電話番号１０１に変換される。その電話番号１０１は、番号変換部２８から第２回線端末６２に渡される。第２回線端末６２は、電話回線３５を経由して第２回線端末６２へかけた電話の発信者電話番号通知の情報と電話番号１０１とを第１回線端末２５に渡す。ユーザの発信者電話番号が登録されたユーザの電話番号と照合された後、第１回線端末２５から回線端末１４へ電話をかけると、ＩＤ記憶部２６に記憶されている電話番号１０１の電話回線のＩＤが同時に発信される。その結果、回線端末１４に電話番号１０１が発信者電話番号として通知される。したがって、ユーザが制御コマンド１００に対応する電話番号１０１を記憶していなくても、遠隔にあるエアコン３が遠隔制御される。
【００５３】
なお、図３に示す第２回線端末６２が直接第１回線端末２５に情報を渡さずに、第２回線端末６２が電話番号１０１に電話するものとしてもよい。あるいは、ユーザが電話番号１０１へ電話し直すものとしてもよい。また、第１実施形態では単一の第１電話回線端末２５が電話回線群３２に接続されているものとしたが、電話回線の数だけ第１電話回線端末２５を用意して電話回線ごとに別の第１電話回線端末２５があるものとしてもよい。この場合、第２回線端末６２は、制御コマンド１００に対応した電話番号１０１に応じて、電話回線３５を経由してかけた電話の発信者電話番号通知の情報と電話番号１０１とを渡す相手となる第１電話回線端末２５すなわち電話番号１０１に対応した第１電話回線端末２５を選択することになる。
（Ｅ）図３に示すように中間装置２０のサーバ２３はコマンド変換部２９をさらに備えるとともに、中間装置２０のデータベース２１はコマンド電話番号帳２４をさらに備えていてもよい。コマンド変換部２９は、データベース２１に接続されており、データベース２１のコマンド電話番号帳２４を参照する。コマンド電話番号帳２４はコマンド電話番号帳１２と内容が一致している。この場合、電話回線群３２のいずれか１つの電話回線を経由して第１回線端末２５へかけた電話の発信者電話番号通知の情報が第１回線端末２５によりユーザ照合部２７及びコマンド変換部２９へと渡される。ユーザ照合部２７でユーザの発信者電話番号が照合される処理とは別に、電話回線群３２のいずれか１つの電話回線の電話番号がコマンド変換部２９により制御コマンド１００に変換されて、その制御コマンド１００がサーバ２３の管理者に通知される。したがって、サーバ２３の管理者によりエアコン３の稼働状況が把握される。なお、ここでは電話回線群３２のいずれの電話番号もユーザの発信者電話番号とは異なっている。
（Ｆ）図２に示すように、コントローラ１０のマイコン１３は、編集部１９と入力インターフェース１８とをさらに備えていてもよい。編集部１９は、ハードディスク１１に接続されており、ハードディスク１１のコマンド電話番号帳１２を参照する。この場合、エアコン３の利用者が入力インターフェース１８に変更内容を入力することにより、コマンド電話番号帳１２が書き換えられる。したがって、制御コマンド１００とそれに対応した電話番号１０１との対応付けがユーザ側でカスタマイズされる。なおこのとき、コマンド電話番号帳２４とコマンド電話番号帳１２とは内容が一致しなくなるが、変更内容が中間装置２０のサーバ２３の管理者に電話・ＦＡＸ・電子メールなどにより又は直接口頭で通知される。これにより、コマンド電話番号帳２４とコマンド電話番号帳１２とは内容が一致するようになる。また、中間装置２０のサーバ２３の管理者においてユーザごとにカスタマイズされたコマンド電話番号帳１２の内容を管理する。ユーザごとにカスタマイズされたコマンド電話番号帳１２の内容を管理する場合に、コマンド電話番号帳２４とコマンド電話番号帳１２との内容を異ならせたまま、中間装置２０のサーバ２３の管理者がコマンド電話番号帳１２の内容を保持していてもよい。それから、図２では入力インターフェース１８は、コントローラ１０に組み込まれているが、コントローラ１０と別に構成されていてもよい。
（Ｇ）図３に示すように、中間装置２０のサーバ２３は編集部６０と入力インターフェース３０とをさらに備えるとともに、中間装置２０のデータベース２１はコマンド電話番号帳２４をさらに備えていてもよい。編集部６０は、データベース２１に接続されており、データベース２１のコマンド電話番号帳２４を参照する。編集部６０は、データベース２１に接続されており、データベース２１のコマンド電話番号帳２４を参照する。コマンド電話番号帳２４はコマンド電話番号帳１２と内容が一致している。この場合、エアコン３の利用者が入力インターフェース３０に変更内容を入力することにより、コマンド電話番号帳２４が書き換えられる。したがって、制御コマンド１００とそれに対応した電話番号１０１との対応付けがサーバ２３の管理者側でカスタマイズされる。なおこのとき、コマンド電話番号帳２４とコマンド電話番号帳１２とは内容が一致しなくなるが、変更内容がユーザに電話・ＦＡＸ・電子メールなどにより又は直接口頭で通知される。これにより、コマンド電話番号帳２４とコマンド電話番号帳１２とは内容が一致するようになる。
【００５４】
あるいは、電話・ＦＡＸ・電子メールなどによりユーザがサーバ２３の管理者にコマンド電話番号帳２４の変更を依頼してもよい。これにより、制御コマンド１００とそれに対応した電話番号１０１との対応付けがユーザ側でカスタマイズされる。なおこのとき、コマンド電話番号帳２４とコマンド電話番号帳１２とは内容が一致しなくなるが、ユーザがコマンド電話番号帳１２に同様の変更を行うことにより、コマンド電話番号帳２４とコマンド電話番号帳１２とは内容が一致するようになる。
【００５５】
［第２実施形態］
本発明の第２実施形態に係る遠隔制御システム２００を図９に示す。ここに示す遠隔制御システム２００は、主として宅外から遠隔にあるエアコン３を遠隔制御するためのシステムである。図９において、図１の遠隔制御システム１の構成要素と同様の構成要素は同じ番号で示してある。
【００５６】
この遠隔制御システム２００は、基本的な構造は第１実施形態と同様であり各構成要素は図２から図６と同様であるが、パソコン６２とＷＥＢサーバ６３とインターネット回線３６とがさらに備えられている点で構成が異なる。すなわち、パソコン６２は、ハードディスク１１に接続されており、主としてＷＥＢブラウザ６１を備えている。ＷＥＢブラウザ６１によりハードディスク１１のコマンド電話番号帳１２が参照される。中間装置２０は、ＷＥＢサーバ６３をさらに備えている。ＷＥＢサーバ６３は、データベース２１に接続されており、データベース２１のコマンド電話番号帳２４を参照する。なお、コマンド電話番号帳２４はコマンド電話番号帳１２と内容が一致している。パソコン６２は、インターネット回線３６を介して中間装置２０のＷＥＢサーバ６３に接続されている。
【００５７】
制御コマンド１００に対応した電話番号１０１のＩＤは、図３に示す中間装置２０のサーバ２３におけるＩＤ記憶部２６に記憶されている点は第１実施例と同様である。また、図３に示すユーザ照合部２７がユーザ電話番号帳２２を参照し、第１回線端末２５へかけた電話の発信者電話番号と登録されたユーザの電話番号とを照合する点も第１実施例と同様である。さらに、図２に示す回線端末１４へかけた電話の電話番号が、制御コマンド１００に対応した電話番号１０１と番号照合部７０で照合される点も第１実施例と同様である。したがって、このような遠隔制御システム２００によっても、悪意のある他人によるなりすましが防止される。
【００５８】
さらに、ＷＥＢブラウザ６１は、ハードディスク１１のコマンド電話番号帳１２を編集するとともに、ＷＥＢサーバ６３に接続してデータベース２１のコマンド電話番号帳２４を編集する。また、サーバ２３の管理者がＷＥＢサーバ６３によりコマンド電話番号帳２４を編集するとともに、パソコン６２のＷＥＢブラウザ６１に接続してハードディスク１１のコマンド電話番号帳１２を編集する。あるいは、ハードディスク１１のコマンド電話番号帳１２を編集するとそれがトリガーとなり、自動編集用のプログラムが起動され、パソコン６２がＷＥＢサーバ６３に接続され、データベース２１のコマンド電話番号帳２４が自動的に編集されるものとしてもよい。また、データベース２１のコマンド電話番号帳２４を編集するとそれがトリガーとなり、自動編集用のプログラムが起動され、ＷＥＢサーバ６３がパソコン６２に接続され、ハードディスク１１のコマンド電話番号帳１２が自動的に編集されるものとしてもよい。これにより、コマンド電話番号帳１２の変更とコマンド電話番号帳２４の変更とがほとんど同時期に行われる。
【００５９】
なお、遠隔制御システム２００は、宅内からエアコン３を制御してもよい。
［第３実施形態］
本発明の第３実施形態に係る遠隔制御システム３００を図１０に示す。ここに示す遠隔制御システム３００は、主として宅外から遠隔にあるエアコン３を遠隔制御するためのシステムである。図１０において、図１の遠隔制御システム１の構成要素と同様の構成要素は同じ番号で示してある。
【００６０】
この遠隔制御システム３００は、基本的な構造は第１実施形態と同様でありコントローラ１０の構成は図２と同様であるが、中間装置２０がない点で構成が異なる。また、電話回線群３２（３２ａ，３２ｂ，・・・）の数だけ携帯電話機群１１０（１１０ａ，１１０ｂ，・・・）又は固定電話機群１００（１００ａ，１００ｂ，・・・）があり、制御コマンド１００に対応した電話番号１０１の電話回線群３２のいずれか１つの電話回線のＩＤが例えば図１１のＩＤ記憶部１１２又は図１２のＩＤ記憶部１０２に記憶されている点で構成が異なる。すなわち、他人が電話回線群３２を保持することができない。したがって、このような遠隔制御システム３００によっても、悪意のある他人によるなりすましが防止される。図１１において、図４の携帯電話機５０の構成要素と同様の構成要素は同じ番号で示してある。図１２において、図５の固定電話機４０の構成要素と同様の構成要素は同じ番号で示してある。
【００６１】
また、番号照合部７０がコマンド電話番号帳１２を参照し、回線端末１４へかけた電話の発信者電話番号と制御コマンド１００に対応した電話番号１０１とを照合する点も第１実施例と同様である。したがって、このような遠隔制御システム３００によっても、悪意のある他人によるなりすましが防止される。
なお、携帯電話機群１１０（１１０ａ，１１０ｂ，・・・）又は固定電話機群１００（１００ａ，１００ｂ，・・・）においては、１台の電話機で複数の回線を保持してもよい。あるいは、電話回線群３２を単一の携帯電話機１１０又は単一の固定電話機１００が保持してもよい。また、遠隔制御システム３００は、宅内からエアコン３を制御してもよい。
【００６２】
【発明の効果】
請求項１に係る機器制御装置では、受付部が電話を受け付けると、第１対応付け記憶部を参照して、受付部へかけた電話の電話番号が第１電話番号群と照合することができる。このため、悪意のある他人によるなりすましを防止することができる。
【００６３】
請求項２に係る機器制御装置では、受付部へかけた電話の電話番号が第１電話番号群と一致すれば第１コマンド変換部によりその電話番号が対応する制御コマンドに変換される。その制御コマンドは、第１コマンド変換部により制御部に渡される。制御部は、制御コマンドを実行し、機器を制御する。
請求項３に係る機器制御装置では、第１対応付け変更部は、第１対応付け記憶部を参照し、第１電話番号群と複数の制御コマンドとの第１対応付け記憶部における対応付けを変更するため、第１電話番号群と対応する複数の制御コマンドとの対応付けをユーザ側でカスタマイズすることができる。
【００６４】
請求項４に係る遠隔制御システムでは、中間装置の第１回線保持部が第１電話回線を保持している。中間装置の中間電話部は、機器制御装置の受付部へ電話してほしいとの要求を機器の利用者から受け付ける。中間装置の中間電話部は、第１電話回線群のいずれか１つの電話回線と第２電話回線とを経由して、機器制御装置の受付部へ電話する。このため、第１電話回線群を他人が保持することができず、悪意による他人のなりすましを防止することができる。また、中間装置の管理者側が機器制御装置の受付部へ電話する際の回線使用料を負担することになり、機器の利用者側での回線使用料の負担が軽減される。
【００６５】
請求項５に係る遠隔制御システムでは、複数の機器の複数の利用者が第１電話番号群のいずれかの電話番号に電話する。中間装置の中間電話部が、第３電話回線と第１電話回線群のうち機器の利用者が指定した電話番号に対応する電話回線とを経由して電話を受ける。その際に中間装置の利用者記憶部に記憶された第２電話番号群を参照して、第３電話回線の電話番号と第２電話番号群とを照合することができる。このため、悪意のある他人によるなりすましを防止することができる。
【００６６】
請求項６に係る遠隔制御システムでは、機器の利用者が、第３電話回線と第１電話回線群のいずれか１つの電話回線とを経由して中間装置の中間電話部へ電話をかける。中間装置の中間電話部は、第１電話回線群のうち中間電話部へかけた電話と同じ電話回線と第２電話回線とを経由して機器制御装置の受付部へ電話を転送する。
【００６７】
請求項７に係る遠隔制御システムでは、第１電話番号群と複数の制御コマンドとの関係が第２対応付け記憶部に記憶されている。第２コマンド変換部は、第２対応付け記憶部を参照し、中間電話部の受けた電話の電話番号を制御コマンドに変換する。したがって、制御コマンドが中間装置の管理者に通知されれば、中間装置の管理者が制御コマンドの内容を把握することができるため、中間装置の管理者が機器の稼働状況を把握することができる。
【００６８】
請求項８に係る遠隔制御システムでは、機器の利用者が制御コマンドを中間装置の問い合わせ部へ伝える。中間装置の問い合わせ部は中間装置の第１番号変換部へ制御コマンドを渡す。中間装置の第１番号変換部は、第２対応付け記憶部を参照し、制御コマンドを第１電話番号群のうちの対応する電話番号に変換する。このため、機器の利用者が第１電話番号群を記憶していなくても、遠隔にある機器が遠隔制御される。
【００６９】
請求項９に係る遠隔制御システムでは、機器の利用者又は中間装置の管理者が第１電話番号群と複数の制御コマンドとの対応付けの変更を中間装置に要求する。その要求が中間装置の第２対応付け変更部に伝えられる。中間装置の第２対応付け変更部は、第２対応付け記憶部にアクセスし、第１電話番号群と制御コマンドとの対応付けを変更する。このため、機器の利用者又は中間装置の管理者が変更内容を第２対応付け変更部に入力することができれば、複数の制御コマンドと第１電話番号群との対応付けを機器の利用者又は中間装置の管理者においてカスタマイズすることができる。
【００７０】
請求項１０に係る遠隔制御システムでは、第２番号変換部は、第３対応付け記憶部を参照し、制御コマンドを第１電話番号群のうちの対応する電話番号に変換し、その電話番号を利用者電話部に渡す。利用者電話部は、第３電話回線と第１電話回線群のうち渡された電話番号に対応する電話回線とを経由して、中間装置の中間電話部へ電話する。このため、ユーザが第１電話番号群を記憶していなくても、遠隔にある機器が遠隔制御される。
【００７１】
請求項１１に係る中間装置では、中間装置の第１回線保持部が第１電話回線を保持している。中間装置の中間電話部は、機器制御装置の受付部へ電話してほしいとの要求を機器の利用者から受け付ける。中間装置の中間電話部は、第１電話回線群のいずれか１つの電話回線と第２電話回線とを経由して、機器制御装置の受付部へ電話する。このため、第１電話回線群を他人が保持することができず、悪意による他人のなりすましを防止することができる。また、中間装置の管理者側が機器制御装置の受付部へ電話する際の回線使用料を負担することになり、機器の利用者側での回線使用料の負担が軽減される。
【００７２】
請求項１２に係る電話帳データでは、電話帳データの内容が第１対応付け記憶部に記憶されている。機器制御装置の受付部が電話を受け付けると、電話帳データの第２領域が参照される。受付部へかけた電話の電話番号が電話帳データの第２領域の電話番号と照合される。受付部へかけた電話の電話番号が電話帳データの第２領域の電話番号と一致すれば第１コマンド変換部によりその電話番号が電話帳データにおいて対応する第１領域の制御コマンドに変換される。制御部は、その制御コマンドを実行し、機器を制御する。したがって、悪意のある他人によるなりすましを防止することができる。また、遠隔にある機器が遠隔制御される。
【図面の簡単な説明】
【図１】本発明の第１実施形態による遠隔制御システム１の構成図。
【図２】本発明の第１実施形態によるコントローラ１０の構成図。
【図３】本発明の第１実施形態による中間装置２０の構成図。
【図４】本発明の第１実施形態による携帯電話機５０の構成図。
【図５】本発明の第１実施形態による固定電話機４０の構成図。
【図６】本発明の第１実施形態によるコマンド電話番号帳１２を示す図。
【図７】本発明の第１実施形態による遠隔制御システム１がエアコン３を遠隔制御する処理の流れを示すフローチャート。
【図８】本発明の第１実施形態による遠隔制御システム１がエアコン３を遠隔制御する処理の流れを示すフローチャート。
【図９】本発明の第２実施形態による遠隔制御システム２００の構成図。
【図１０】本発明の第３実施形態による遠隔制御システム３００の構成図。
【図１１】本発明の第３実施形態による携帯電話機１１０ａの構成図。
【図１２】本発明の第３実施形態による固定電話機１００ａの構成図。
【符号の説明】
１，２００，３００  遠隔制御システム
３  エアコン
１０  コントローラ
２０  中間装置
３２  電話回線群
３１，３３，３４，３５  電話回線
３７  電話交換網
４０  固定電話機
５０  携帯電話機
１２，２４，４５，５５  コマンド電話番号帳
２２  ユーザ電話番号帳
３６  インターネット回線
１００  固定電話機群
１１０  携帯電話機群
【図１】
2004312155.tif 000003
【図２】
2004312155.tif 000004
【図３】
2004312155.tif 000005
【図４】
2004312155.tif 000006
【図５】
2004312155.tif 000007
【図６】
2004312155.tif 000008
【図７】
2004312155.tif 000009
【図８】
2004312155.tif 000010
【図９】
2004312155.tif 000011
【図１０】
2004312155.tif 000012
【図１１】
2004312155.tif 000013
【図１２】
2004312155.tif 000014